(57)【要約】【課題】プレイリストの種類および静止画情報の種類を識別する情報を有する情報記録媒体を提供する。【解決手段】本発明の情報記録媒体は、情報と、情報が電子配信により配信されたアルバムコンテンツであるのかユーザにより編集された情報であるのかを示す識別情報とを記録するための情報記録媒体である。また、本発明の情報記録媒体は、第１の情報と、第１の情報に関連付けられた第２の情報と、第１の情報および第２の情報が含まれていたアルバムコンテンツにおいて、第２の情報がアルバムコンテンツ全体を代表した情報であるのか第１の情報に関連付けられていた情報であるのかを示す識別情報とを記録するための情報記録媒体である。【選択図】　図１Ｃ
2004047047.tif 000002
【特許請求の範囲】
【請求項１】
情報と、
前記情報が電子配信により配信されたアルバムコンテンツであるのかユーザにより編集された情報であるのかを示す識別情報と
を記録するための情報記録媒体。
【請求項２】
前記情報は、オーディオ情報、静止画情報、動画情報およびテキスト情報のうちの少なくとも１つである、請求項１に記載の情報記録媒体。
【請求項３】
情報を情報記録媒体に記録する記録装置であって、
前記情報は、電子配信により配信されたアルバムコンテンツであるかユーザにより編集された情報であるかの何れかであり、
前記記録装置は、
前記情報を取得する取得部と、
前記情報が電子配信により配信されたアルバムコンテンツであるかユーザにより編集された情報であるかを識別し、その識別結果を示す識別情報を出力する制御部と、
前記情報と前記識別情報とを前記情報記録媒体に記録する記録部と
を備える、記録装置。
【請求項４】
前記情報は、オーディオ情報、静止画情報、動画情報およびテキスト情報のうちの少なくとも１つである、請求項３に記載の記録装置。
【請求項５】
情報記録媒体に記録された情報を編集する編集装置であって、
前記情報記録媒体には、前記情報が電子配信により配信されたアルバムコンテンツであるのかユーザにより編集された情報であるのかを示す識別情報が記録されており、
前記編集装置は、
前記情報記録媒体から前記識別情報を読み取る読取部と、
前記情報が電子配信により配信されたアルバムコンテンツであるのかユーザにより編集された情報であるのかを識別し、識別結果に応じた制限に従って前記情報を編集する制御部と
を備える、編集装置。
【請求項６】
前記情報は、オーディオ情報、静止画情報、動画情報およびテキスト情報のうちの少なくとも１つである、請求項５に記載の編集装置。
【請求項７】
第１の情報と、
前記第１の情報に関連付けられた第２の情報と、
前記第１の情報および前記第２の情報が含まれていたアルバムコンテンツにおいて、前記第２の情報が前記アルバムコンテンツ全体を代表した情報であるのか前記第１の情報に関連付けられていた情報であるのかを示す識別情報と
を記録するための情報記録媒体。
【請求項８】
前記第１の情報はオーディオ情報および動画情報のうちの一方であり、
前記第２の情報は静止画情報である、請求項７に記載の情報記録媒体。
【請求項９】
前記第１の情報に関連付けられた第３の情報をさらに記録し、
前記第３の情報は、前記アルバムコンテンツにおいて前記第１の情報に関連付けられていた情報であり、
前記第２の情報は、前記アルバムコンテンツにおいて前記アルバムコンテンツ全体を代表した情報であり、
前記情報記録媒体にはアドレスが割り当てられており、
前記情報記録媒体のうちの前記第２の情報が記録される領域に割り当てられているアドレスは、前記情報記録媒体のうちの前記第３の情報が記録される領域に割り当てられているアドレスよりも小さい、請求項７に記載の情報記録媒体。
【請求項１０】
前記第１の情報はオーディオ情報および動画情報のうちの一方であり、
前記第２の情報および前記第３の情報は静止画情報である、請求項９に記載の情報記録媒体。
【請求項１１】
第１の情報および第２の情報を情報記録媒体に記録する記録装置であって、
第１の情報および第２の情報はアルバムコンテンツに含まれており、
前記第２の情報は、前記アルバムコンテンツ全体を代表する情報であるのか前記第１の情報に関連付けられた情報であるのかの何れかであり、
前記記録装置は、
前記アルバムコンテンツを取得する取得部と、
前記第２の情報が前記アルバムコンテンツ全体を代表する情報であるのか前記第１の情報に関連付けられた情報であるのかを識別し、その識別結果を示す識別情報を出力する制御部と、
前記第２の情報が前記第１の情報に関連付けられるように前記第１の情報と前記第２の情報と前記識別情報とを前記情報記録媒体に記録する記録部と
を備える、記録装置。
【請求項１２】
前記第１の情報はオーディオ情報および動画情報のうちの一方であり、
前記第２の情報は静止画情報である、請求項１１に記載の記録装置。
【請求項１３】
情報記録媒体に記録された第１の情報および前記第１の情報に関連付けられた第２の情報を再生する再生装置であって、
前記情報記録媒体には、前記第１の情報および前記第２の情報が含まれていたアルバムコンテンツにおいて、前記第２の情報が前記アルバムコンテンツ全体を代表した情報であるのか前記第１の情報に関連付けられていた情報であるのかを示す識別情報が記録されており、
前記再生装置は、
前記情報記録媒体から前記第１の情報と前記第２の情報と前記識別情報とを読み取る読取部と、
前記第１の情報と前記第２の情報とを再生する再生部と、
前記第１の情報および前記第２の情報が含まれていたアルバムコンテンツにおいて、前記第２の情報が前記アルバムコンテンツ全体を代表した情報であるのか前記第１の情報に関連付けられていた情報であるのかを識別し、その識別結果に基づいて前記再生部の前記第２の情報の再生を制御する制御部と
を備える、再生装置。
【請求項１４】
前記第１の情報はオーディオ情報および動画情報のうちの一方であり、
前記第２の情報は静止画情報である、請求項１３に記載の再生装置。
【請求項１５】
情報を情報記録媒体に記録する記録方法であって、
前記情報は、電子配信により配信されたアルバムコンテンツであるかユーザにより編集された情報であるかの何れかであり、
前記記録方法は、
前記情報を取得するステップと、
前記情報が電子配信により配信されたアルバムコンテンツであるかユーザにより編集された情報であるかを識別し、その識別結果を示す識別情報を出力するステップと、
前記情報と前記識別情報とを前記情報記録媒体に記録するステップと
を包含する、記録方法。
【請求項１６】
前記情報は、オーディオ情報、静止画情報、動画情報およびテキスト情報のうちの少なくとも１つである、請求項１５に記載の記録方法。
【請求項１７】
情報記録媒体に記録された情報を編集する編集方法であって、
前記情報記録媒体には、前記情報が電子配信により配信されたアルバムコンテンツであるのかユーザにより編集された情報であるのかを示す識別情報が記録されており、
前記編集方法は、
前記情報記録媒体から前記識別情報を読み取るステップと、
前記情報が電子配信により配信されたアルバムコンテンツであるのかユーザにより編集された情報であるのかを識別し、識別結果に応じた制限に従って前記情報を編集するステップと
を包含する、編集方法。
【請求項１８】
前記情報は、オーディオ情報、静止画情報、動画情報およびテキスト情報のうちの少なくとも１つである、請求項１７に記載の編集方法。
【請求項１９】
第１の情報および第２の情報を情報記録媒体に記録する記録方法であって、
第１の情報および第２の情報はアルバムコンテンツに含まれており、
前記第２の情報は、前記アルバムコンテンツ全体を代表する情報であるのか前記第１の情報に関連付けられた情報であるのかの何れかであり、
前記記録方法は、
前記アルバムコンテンツを取得するステップと、
前記第２の情報が前記アルバムコンテンツ全体を代表する情報であるのか前記第１の情報に関連付けられた情報であるのかを識別し、その識別結果を示す識別情報を出力するステップと、
前記第２の情報が前記第１の情報に関連付けられるように前記第１の情報と前記第２の情報と前記識別情報とを前記情報記録媒体に記録するステップと
を包含する、記録方法。
【請求項２０】
前記第１の情報はオーディオ情報および動画情報のうちの一方であり、
前記第２の情報は静止画情報である、請求項１９に記載の記録方法。
【請求項２１】
情報記録媒体に記録された第１の情報および前記第１の情報に関連付けられた第２の情報を再生する再生方法であって、
前記情報記録媒体には、前記第１の情報および前記第２の情報が含まれていたアルバムコンテンツにおいて、前記第２の情報が前記アルバムコンテンツ全体を代表した情報であるのか前記第１の情報に関連付けられていた情報であるのかを示す識別情報が記録されており、
前記再生方法は、
前記情報記録媒体から前記第１の情報と前記第２の情報と前記識別情報とを読み取るステップと、
前記第１の情報と前記第２の情報とを再生するステップと、
前記第１の情報および前記第２の情報が含まれていたアルバムコンテンツにおいて、前記第２の情報が前記アルバムコンテンツ全体を代表した情報であるのか前記第１の情報に関連付けられていた情報であるのかを識別し、その識別結果に基づいて前記第２の情報の再生を制御するステップと
を包含する、再生方法。
【請求項２２】
前記第１の情報はオーディオ情報および動画情報のうちの一方であり、
前記第２の情報は静止画情報である、請求項２１に記載の再生方法。
【発明の詳細な説明】
【０００１】
【発明の属する技術分野】
本発明は、情報を記録する情報記録媒体に関する。特に、オーディオ情報および静止画情報の少なくとも一方を記録する情報記録媒体、記録装置、編集装置、再生装置、記録方法、編集方法、再生方法に関する。
【０００２】
【従来の技術】
近年、各種の圧縮符号化方式が発明されたことと、インターネット技術の急速な普及に伴い、多くの電子音楽配信システムがサービスを開始している。これらのシステムでは、ＭＰ３等の圧縮符号化方式を利用することにより、帯域の狭いネットワークを利用しているシステムであっても、適度な時間で楽曲情報をユーザに配信することを可能としている。最近では、楽曲だけでなく、静止画情報やテキスト情報などを楽曲情報に関連付けて１つのコンテンツとして配信しているシステムもある。例えば、図１３に示すように、楽曲情報３１０と、３つの静止画情報３１１、３１２、３１３と、曲名や歌詞のテキスト情報３１４、３１５を含むコンテンツ３００が配信されたと仮定する。この場合、ユーザの端末では、静止画に関しては、楽曲情報３１０の再生中にジャケットを１枚１枚めくる様に３つの静止画が１枚１枚表示されたり、曲名に関しては、楽曲のメニュー画面で表示されたりする。このようなコンテンツをユーザの情報記録媒体に記録する場合には、一般的に、楽曲情報が記録され、さらにその楽曲情報に対応する静止画情報とテキスト情報とが、記録された楽曲情報に関連付けられるように記録される。
【０００３】
また、将来的には、それらのコンテンツを複数含むアルバムコンテンツを配信することが予想される。この場合、図１４に示すアルバムコンテンツ３２０のように、楽曲情報３３０〜３３２、静止画情報３３３〜３４０、テキスト情報３４２〜３４６の他に、アルバムジャケットのようなアルバムコンテンツ全体を示すアルバム用静止画情報３４７、アルバム名等を示すテキスト情報３４１を含む。アルバム用静止画情報３４７、テキスト情報３４１はアルバムコンテンツへの参照情報として使用される。例えば、アルバムコンテンツ再生時のメニュー画面などでアルバム用静止画やアルバム名が表示される。
【０００４】
一方、多数の楽曲情報が１つの情報記録媒体に記録されている場合、ユーザはプレイリストを作成し、好みの楽曲情報を好みの順序で再生することがある。プレイリストは、例えば、図１５に示すように、情報記録媒体に記録されている楽曲情報３５１〜３５６から選択した１つ以上の楽曲情報（プレイリスト３６１では楽曲情報３５３、３５１、３５６）を含み、その再生順序を定義する。プレイリスト３６１を再生した場合、楽曲情報３５３、楽曲情報３５１、楽曲情報３５６の順で楽曲情報が再生される。また、ユーザは楽曲情報３５５、３５２を含むプレイリスト３６２のような他のプレイリストも作成し得る。ユーザが複数のプレイリストを作成すれば、状況に応じて再生したいプレイリストを選択して楽曲を聴くという音楽の楽しみ方が可能となる。
【０００５】
また、音楽の別の楽しみ方として、最初に記録された情報記録媒体とは別の情報記録媒体で楽曲情報を再生したいということがある。例えば、ＣＤからのコピーや、配信されたアルバムコンテンツをＤＶＤ−ＲＡＭに一旦記録し、その後、いくつかの楽曲情報をＤＶＤ−ＲＡＭから選択してＳＤ（Ｓｅｃｕｒｅ　Ｄｉｇｉｔａｌ）メモリーカードに記録して、外出先でＳＤメモリーカードに記録した楽曲情報を聴くといった場合である。この場合、ＤＶＤ−ＲＡＭの楽曲情報をＳＤメモリーカードに記録する手段として、「移動」という手段がある。「移動」とは、オリジナルの情報記録媒体に記録されている楽曲情報を他の情報記録媒体にコピーし、その後、オリジナルの情報記録媒体からコピー元の楽曲情報を削除することである。「移動」という手段を用いることにより、ユーザは様々な場面で楽曲を聴くことが可能となる。
【０００６】
【発明が解決しようとする課題】
現在、電子音楽配信システムによって配信される楽曲情報を民生機器で記録・再生することが望まれており、配信された楽曲情報をＤＶＤ−ＲＡＭを利用した家庭用オーディオレコーダ・プレーヤを用いて記録・再生することが考えられ、アルバムコンテンツは配信されてＤＶＤ−ＲＡＭに記録することもある。このような場合は、以下に説明するような情報の編集処理および作成処理が必要となるが、情報記録媒体に適用される従来の記録フォーマットではそのような編集処理および作成処理が出来なかった。
【０００７】
配信されるアルバムコンテンツは、選択されている楽曲情報はもちろんのこと、その再生順序にも配信側の製作意図が含まれているため、ユーザによる楽曲情報の分割や結合、削除、および再生順序の変更等の編集は禁止されることが望ましい。従って、配信されたアルバムコンテンツをＤＶＤ−ＲＡＭに記録する場合、アルバムコンテンツの楽曲情報から構成されるプレイリストを情報記録媒体に記録して、そのプレイリストの編集は禁止することが必要となる。しかしながら、ユーザが、アルバムコンテンツのある楽曲情報をＳＤメモリーカード等に移動させて楽曲情報を再生したい場合、ＤＶＤ−ＲＡＭに記録されていた楽曲情報を削除することが必要となる。このため、「移動」を考慮した場合、アルバムコンテンツの楽曲情報の削除という編集処理は禁止されないことが望ましい。
【０００８】
また、ユーザは、ＤＶＤ−ＲＡＭなどの情報記録媒体に記録されている任意の楽曲情報を選択して１つのプレイリストを作成することがある。この場合、個人の私的利用のためには、作成されたプレイリスト内の楽曲情報の分割や結合、削除、および再生順序や新たな楽曲情報の追加による編集は禁止されない方がよい。従って、編集の禁止および許可の観点より、プレイリストがアルバムコンテンツであるか、あるいはユーザが任意に選択した楽曲情報を含むプレイリストであるかを識別できることが望ましい。
【０００９】
また、ユーザがプレイリストを作成する場合、図１６に示すように、複数のアルバムコンテンツ３２１〜３２３が含む楽曲情報３７１〜３７６から任意の楽曲情報を選択してプレイリスト３６３、３６４等を作成することがある。この場合、選択された楽曲情報がどのアルバムコンテンツに含まれていたかを示す情報をユーザに表示することができれば、新たな音楽の楽しみ方をユーザに提供することができる。具体的には、図１２の場合、プレイリスト３６３の楽曲情報３７３を再生中に、ユーザが望めば、楽曲３７３が属していたアルバムコンテンツ３２２のアルバム用静止画を表示するように出来ればよい。このためには、アルバムコンテンツの楽曲情報と静止画情報とを情報記録媒体に記録する際に、アルバム用静止画が楽曲情報に関連付けられる必要がある。さらには、楽曲情報再生中に１枚１枚表示される静止画と、アルバム用静止画とを区別する必要もある。
【００１０】
本発明は上記課題を解決するためになされ、プレイリストがアルバムコンテンツであるのか、あるいはユーザが任意に選択した楽曲情報を含むプレイリストであるのかを区別する情報を含む情報記録媒体、または、楽曲情報に関連付けられている静止画情報が楽曲再生中に表示される静止画情報であるのか、あるいはアルバム用静止画情報であるのかを区別する情報を含む情報記録媒体、記録装置、編集装置、再生装置、記録方法、編集方法、再生方法を提供することを目的とする。
【００１１】
【課題を解決するための手段】
本発明の情報記録媒体は、情報と、情報が電子配信により配信されたアルバムコンテンツであるのかユーザにより編集された情報であるのかを示す識別情報とを記録するための情報記録媒体であり、そのことにより上記目的が達成される。
【００１２】
情報は、オーディオ情報、静止画情報、動画情報およびテキスト情報のうちの少なくとも１つであってもよい。
【００１３】
本発明の情報を情報記録媒体に記録する記録装置において、情報は、電子配信により配信されたアルバムコンテンツであるかユーザにより編集された情報であるかの何れかであり、記録装置は、情報を取得する取得部と、情報が電子配信により配信されたアルバムコンテンツであるかユーザにより編集された情報であるかを識別し、その識別結果を示す識別情報を出力する制御部と、情報と識別情報とを情報記録媒体に記録する記録部とを備え、そのことにより上記目的が達成される。
【００１４】
情報は、オーディオ情報、静止画情報、動画情報およびテキスト情報のうちの少なくとも１つであってもよい。
【００１５】
本発明の情報記録媒体に記録された情報を編集する編集装置において、情報記録媒体には、情報が電子配信により配信されたアルバムコンテンツであるのかユーザにより編集された情報であるのかを示す識別情報が記録されており、編集装置は、情報記録媒体から識別情報を読み取る読取部と、情報が電子配信により配信されたアルバムコンテンツであるのかユーザにより編集された情報であるのかを識別し、識別結果に応じた制限に従って情報を編集する制御部とを備え、そのことにより上記目的が達成される。
【００１６】
情報は、オーディオ情報、静止画情報、動画情報およびテキスト情報のうちの少なくとも１つであってもよい。
【００１７】
本発明の情報記録媒体は、第１の情報と、第１の情報に関連付けられた第２の情報と、第１の情報および第２の情報が含まれていたアルバムコンテンツにおいて、第２の情報がアルバムコンテンツ全体を代表した情報であるのか第１の情報に関連付けられていた情報であるのかを示す識別情報とを記録するための情報記録媒体であり、そのことにより上記目的が達成される。
【００１８】
第１の情報はオーディオ情報および動画情報のうちの一方であり、第２の情報は静止画情報であってもよい。
【００１９】
第１の情報に関連付けられた第３の情報をさらに記録し、第３の情報は、アルバムコンテンツにおいて第１の情報に関連付けられていた情報であり、第２の情報は、アルバムコンテンツにおいてアルバムコンテンツ全体を代表した情報であり、情報記録媒体にはアドレスが割り当てられており、情報記録媒体のうちの第２の情報が記録される領域に割り当てられているアドレスは、情報記録媒体のうちの第３の情報が記録される領域に割り当てられているアドレスよりも小さくてもよい。
【００２０】
本発明の第１の情報および第２の情報を情報記録媒体に記録する記録装置において、第１の情報および第２の情報はアルバムコンテンツに含まれており、第２の情報は、アルバムコンテンツ全体を代表する情報であるのか第１の情報に関連付けられた情報であるのかの何れかであり、記録装置は、アルバムコンテンツを取得する取得部と、第２の情報がアルバムコンテンツ全体を代表する情報であるのか第１の情報に関連付けられた情報であるのかを識別し、その識別結果を示す識別情報を出力する制御部と、第２の情報が第１の情報に関連付けられるように第１の情報と第２の情報と識別情報とを情報記録媒体に記録する記録部とを備え、そのことにより上記目的が達成される。
【００２１】
第１の情報はオーディオ情報および動画情報のうちの一方であり、第２の情報は静止画情報であってもよい。
【００２２】
本発明の情報記録媒体に記録された第１の情報および第１の情報に関連付けられた第２の情報を再生する再生装置において、情報記録媒体には、第１の情報および第２の情報が含まれていたアルバムコンテンツにおいて、第２の情報がアルバムコンテンツ全体を代表した情報であるのか第１の情報に関連付けられていた情報であるのかを示す識別情報が記録されており、再生装置は、情報記録媒体から第１の情報と第２の情報と識別情報とを読み取る読取部と、第１の情報と第２の情報とを再生する再生部と、第１の情報および第２の情報が含まれていたアルバムコンテンツにおいて、第２の情報がアルバムコンテンツ全体を代表した情報であるのか第１の情報に関連付けられていた情報であるのかを識別し、その識別結果に基づいて再生部の第２の情報の再生を制御する制御部とを備え、そのことにより上記目的が達成される。
【００２３】
第１の情報はオーディオ情報および動画情報のうちの一方であり、第２の情報は静止画情報であってもよい。
【００２４】
本発明の情報を情報記録媒体に記録する記録方法において、情報は、電子配信により配信されたアルバムコンテンツであるかユーザにより編集された情報であるかの何れかであり、記録方法は、情報を取得するステップと、情報が電子配信により配信されたアルバムコンテンツであるかユーザにより編集された情報であるかを識別し、その識別結果を示す識別情報を出力するステップと、情報と識別情報とを情報記録媒体に記録するステップとを包含し、そのことにより上記目的が達成される。
【００２５】
情報は、オーディオ情報、静止画情報、動画情報およびテキスト情報のうちの少なくとも１つであってもよい。
【００２６】
本発明の情報記録媒体に記録された情報を編集する編集方法において、情報記録媒体には、情報が電子配信により配信されたアルバムコンテンツであるのかユーザにより編集された情報であるのかを示す識別情報が記録されており、編集方法は、情報記録媒体から識別情報を読み取るステップと、情報が電子配信により配信されたアルバムコンテンツであるのかユーザにより編集された情報であるのかを識別し、識別結果に応じた制限に従って情報を編集するステップとを包含し、そのことにより上記目的が達成される。
【００２７】
情報は、オーディオ情報、静止画情報、動画情報およびテキスト情報のうちの少なくとも１つであってもよい。
【００２８】
本発明の第１の情報および第２の情報を情報記録媒体に記録する記録方法において、第１の情報および第２の情報はアルバムコンテンツに含まれており、第２の情報は、アルバムコンテンツ全体を代表する情報であるのか第１の情報に関連付けられた情報であるのかの何れかであり、記録方法は、アルバムコンテンツを取得するステップと、第２の情報がアルバムコンテンツ全体を代表する情報であるのか第１の情報に関連付けられた情報であるのかを識別し、その識別結果を示す識別情報を出力するステップと、第２の情報が第１の情報に関連付けられるように第１の情報と第２の情報と識別情報とを情報記録媒体に記録するステップとを包含し、そのことにより上記目的が達成される。
【００２９】
第１の情報はオーディオ情報および動画情報のうちの一方であり、第２の情報は静止画情報であってもよい。
【００３０】
本発明の情報記録媒体に記録された第１の情報および第１の情報に関連付けられた第２の情報を再生する再生方法において、情報記録媒体には、第１の情報および第２の情報が含まれていたアルバムコンテンツにおいて、第２の情報がアルバムコンテンツ全体を代表した情報であるのか第１の情報に関連付けられていた情報であるのかを示す識別情報が記録されており、再生方法は、情報記録媒体から第１の情報と第２の情報と識別情報とを読み取るステップと、第１の情報と第２の情報とを再生するステップと、第１の情報および第２の情報が含まれていたアルバムコンテンツにおいて、第２の情報がアルバムコンテンツ全体を代表した情報であるのか第１の情報に関連付けられていた情報であるのかを識別し、その識別結果に基づいて第２の情報の再生を制御するステップとを包含し、そのことにより上記目的が達成される。
【００３１】
第１の情報はオーディオ情報および動画情報のうちの一方であり、第２の情報は静止画情報であってもよい。
【００３２】
【発明の実施の形態】
以下、本発明の実施の形態を図面を参照して説明する。
【００３３】
（実施の形態１）
本発明の実施の形態１における情報記録媒体は、情報と、その情報が電子配信により配信されたアルバムコンテンツであるのかユーザにより編集された情報であるのかを示す識別情報とを記録するための情報記録媒体である。上記情報は、オーディオ情報、静止画情報、動画情報およびテキストデータのうちの少なくとも１つである。オーディオ情報は音を示す情報であり、例えば楽曲情報および音声情報等を含む。楽曲情報は１曲の音を示し、静止画情報は１つの静止画を示す。
【００３４】
本実施の形態における情報記録媒体の一例として図１Ａに情報記録媒体１００を示す。情報記録媒体１００は、少なくとも１つの楽曲情報を含むオーディオ情報であるプレイリスト１１０と、プレイリスト１１０を管理するための管理情報ファイル１２０とを含む。プレイリスト１１０は、例えば図１Ｂに示すように複数の楽曲情報１１１、１１２、１１３を含む。プレイリスト１１０における複数の楽曲情報１１１、１１２、１１３の再生順番は、例えば複数の楽曲情報１１１、１１２、１１３の記録順番により決定され得る。
【００３５】
管理情報ファイル１２０は、図１Ｃに示すようにプレイリスト１１０に関する情報を示すプレイリスト情報１２１を含む。情報記録媒体１００が他のプレイリストを含む場合には、管理情報ファイル１２０は他のプレイリスト情報（例えば図１Ｃに示すプレイリスト情報１２２、１２３）を含む。
【００３６】
プレイリスト情報１２１は、プレイリスト１１０に関する一般情報、例えばプレイリスト１１０に含まれる楽曲数などを示すプレイリスト一般情報１２４を含む。プレイリスト一般情報１２４は、プレイリストの種別を識別するためのプレイリスト識別情報１２５を含む。プレイリスト識別情報１２５は、プレイリスト１１０が電子配信により配信されたアルバムコンテンツであるのかユーザにより編集された情報であるのかを示す。電子配信により配信されたアルバムコンテンツは複数のコンテンツを含むアルバムを示す。コンテンツとは、例えば、楽曲情報、静止画情報、動画情報、テキスト情報などである。ここではコンテンツは楽曲情報である。アルバムコンテンツが含む複数の楽曲情報の内容および楽曲情報の再生順番等には著作権者の意図が反映されている。そのような著作権者の意図が反映されるように、アルバムコンテンツは情報記録媒体１００に記録される。ユーザにより編集された情報は、電子配信以外の情報源である１つ以上の記録媒体に記録されている複数の楽曲情報をユーザが選択して組み合わせることにより作成したプレイリスト（以下、ユーザ定義プレイリストと呼ぶ）である。なお、アルバムコンテンツおよびユーザ定義プレイリストは楽曲情報を１つのみ含む情報であってもよい。プレイリスト識別情報１２５は、プレイリスト１１０が電子配信により配信されたアルバムコンテンツであることを示すアルバムプレイリスト識別子であるか、プレイリスト１１０がユーザ定義プレイリストであることを示すユーザ定義プレイリスト識別子であるかのいずれかである。
【００３７】
図２を参照して、上述したようなプレイリストおよびプレイリスト識別情報を情報記録媒体１００に記録する記録装置２１について説明する。図２に示す記録装置２１は、インターネット等のネットワークシステムを介した電子配信によりアルバムコンテンツ２８を取得する第１の取得部２３と、電子配信以外の情報源（例えばＣＤおよびＤＶＤ）から複数の楽曲情報と管理情報との組２９を取得する第２の取得部２４と、情報記録媒体１００から情報を読み取る読取部２５と、制御部２６と、ユーザからの編集内容を受信する受信部２７と、情報記録媒体１００に情報を記録する記録部２２とを備える。制御部２６は、第１の取得部２３が取得した情報をアルバムコンテンツ２８であると識別し、第２の取得部２４が取得した情報をユーザにより編集された情報であると識別する。
【００３８】
電子配信により第１の取得部２３が取得したアルバムコンテンツ２８は楽曲情報と管理情報とを含む。第１の取得部２３は、アルバムコンテンツ２８を取得すると、アルバムコンテンツ２８に含まれる管理情報３０を制御部２６へ出力し、アルバムコンテンツ２８に含まれるすべての楽曲情報の組３１を記録部２２へ出力する。
【００３９】
制御部２６は、管理情報３０を解読して、楽曲情報の組３１が１つのプレイリストとして情報記録媒体１００に記録されるように、アルバムプレイリスト識別子を含む新規のプレイリスト情報を作成する。制御部２６は、情報記録媒体１００に管理情報ファイル１２０（図１Ｃ）が予め記録されている場合には、読取部２５を介して管理情報ファイル１２０を取得し、作成した新規のプレイリスト情報を含むように管理情報ファイル１２０を更新する。情報記録媒体１００に管理情報ファイル１２０が記録されていない場合には、作成した新規のプレイリスト情報を含む管理情報ファイル１２０を作成する。制御部２６は、更新または作成された管理情報ファイル１２０を記録部２２へ出力する。記録部２２は、更新または作成された管理情報ファイル１２０と、楽曲情報の組３１とを情報記録媒体１００に記録する。
【００４０】
第２の取得部２４は情報源から複数の楽曲情報と管理情報との組２９を取得すると、複数の楽曲情報と管理情報との組２９に含まれる管理情報３２を制御部２６へ出力し、複数の楽曲情報と管理情報との組２９に含まれるすべての楽曲情報の組３３を記録部２２へ出力する。
【００４１】
制御部２６は、管理情報３２を解読して、楽曲情報の組３３が１つのプレイリストとして情報記録媒体１００に記録されるように、ユーザ定義プレイリスト識別子を含む新規のプレイリスト情報を作成する。制御部２６は、情報記録媒体１００に管理情報ファイル１２０（図１Ｃ）が予め記録されている場合には、読取部２５を介して管理情報ファイル１２０を取得し、作成した新規のプレイリスト情報を含むように管理情報ファイル１２０を更新する。情報記録媒体１００に管理情報ファイル１２０が記録されていない場合には、作成した新規のプレイリスト情報を含む管理情報ファイル１２０を作成する。制御部２６は、更新または作成された管理情報ファイル１２０を記録部２２へ出力する。記録部２２は、更新または作成された管理情報ファイル１２０と、楽曲情報の組３３とを情報記録媒体１００に記録する。
【００４２】
受信部２７は、ユーザからの指示として、情報記録媒体１００に記録されている情報から複数の楽曲を選択し、選択した複数の楽曲情報を含む新規のプレイリストを情報記録媒体１００に記録するという編集指示情報３４を受信した場合、受信した編集指示情報３４を制御部２６へ出力する。この場合の編集指示とは、例えば、新規のプレイリスト作成という指示とその新規プレイリストに登録される曲番号の指示とである。制御部２６は編集指示情報３４を取得すると、ユーザが選択した複数の楽曲情報を含む新規のプレイリストに関する情報を示す新規のプレイリスト情報を作成する。新規のプレイリスト情報はユーザ定義プレイリスト識別子を含む。制御部２６は、情報記録媒体１００から読取部２５を介して管理情報ファイル１２０を取得し、作成した新規のプレイリスト情報を含むように管理情報ファイル１２０を更新する。制御部２６は、更新された管理情報ファイル１２０を記録部２２へ出力する。記録部２２は、更新された管理情報ファイル１２０を情報記録媒体１００に記録する。
【００４３】
図３に示すフローチャートのように、電子配信から取得したアルバムコンテンツを情報記録媒体１００に記録する場合（Ｓ３０１でＹｅｓの場合）には、アルバムコンテンツが含む複数の楽曲情報を含む１つのプレイリストが作成され（Ｓ３０２）、そのプレイリスト識別情報としてアルバムプレイリスト識別子が情報記録媒体１００に記録される（Ｓ３０４）。また、ユーザにより編集された情報を情報記録媒体１００に記録する場合（Ｓ３０１でＮｏの場合）には、ユーザにより編集された情報を含む１つのプレイリストが作成され（Ｓ３０３）、プレイリスト識別情報としてユーザ定義プレイリスト識別子が情報記録媒体１００に記録される（Ｓ３０５）。
【００４４】
アルバムプレイリスト識別子が対応付けられたプレイリストは、楽曲情報の削除以外の編集は禁止される。基本的に、アルバムプレイリスト識別子は、コンテンツ製作者の著作権があるアルバムコンテンツであることを示す識別子であり、アルバムコンテンツには、楽曲情報そのものはもちろんのこと、楽曲再生順序にもコンテンツ製作者の意図が含まれている。このため、アルバムプレイリスト識別子が対応付けられたプレイリストの編集は禁止されなければいけない。しかしながら、ユーザは、「移動」という手段を用いて、楽曲情報を他の情報記録媒体においてでも聴きたいと望むことがある。「移動」という手段を用いて様々な情報記録媒体で楽曲を聴くことは、ユーザにとって重要な音楽の楽しみ方の１つである。例えば、自宅にあるＤＶＤ−ＲＡＭからいくつかの楽曲情報をＳＤ（Ｓｅｃｕｒｅ　Ｄｉｇｉｔａｌ）メモリーカードに移動させ、通学および通勤途中で楽曲を聴くということがある。アルバムプレイリスト識別子が対応付けられたプレイリストが含むある楽曲情報を移動する場合、その楽曲情報を他の情報記録媒体にコピーした後、コピー元の情報記録媒体から削除するという処理が必要となる。このため、アルバムコンテンツの楽曲情報から構成されるプレイリストであっても、楽曲情報の削除は許可される必要がある。一方、ユーザ定義プレイリスト識別子が対応付けられたプレイリストは、そのプレイリストが含む複数の楽曲情報の分割や結合、削除、曲順変更、新たな楽曲情報の追加等の編集は許可される。
【００４５】
図４に、プレイリスト識別情報に基づいて上述のようなプレイリストの編集を行う編集装置４１を示す。編集装置４１は、情報記録媒体１００から情報を読み取る読取部４３と、編集処理の制御を行う制御部４４と、情報記録媒体１００に情報を記録する記録部４２と、ユーザから入力される編集内容を受信する受信部４５と、ユーザにメッセージを表示する表示部４６とを備える。
【００４６】
受信部４５が、ユーザから情報記録媒体１００に記録されたプレイリストを編集するという編集指示情報４７を受信する。受信した編集指示情報４７には、例えば、編集するプレイリストのプレイリスト番号と、その編集内容、例えば、プレイリストの削除が含まれている。受信部４５は受信した編集指示情報４７を制御部４４へ出力する。次に、読取部４３は、情報記録媒体１００から管理情報１２０を読み取って制御部４４に出力する。
【００４７】
制御部４４は、読み取られた管理情報１２０から、編集指示情報４７が示すプレイリスト番号と関連するプレイリスト情報を検索する。制御部４４は、検索されたプレイリスト情報に含まれるプレイリスト識別情報がアルバムプレイリスト識別子であるのかユーザ定義プレイリスト識別子であるのかを識別する。制御部４４は識別結果に応じた制限に従ってプレイリストを編集する。
【００４８】
識別の結果、プレイリスト識別情報がアルバムプレイリスト識別子であった場合には、編集指示情報４７が示す編集内容が、プレイリストに含まれる楽曲情報の削除以外の編集内容であれば、制御部４４はその編集を禁止する。制御部４４は編集禁止であることを示す編集禁止情報４８を表示部４６へ出力し、表示部４６は編集不可能であるとの警告情報を表示する。また、編集指示情報４７が示す編集内容が、プレイリストに含まれる楽曲情報の削除であれば、制御部４４は該当楽曲情報が削除されるように管理情報１２０を更新する。制御部４４は更新された管理情報１２０を記録部４２へ出力する。記録部４２は更新された管理情報１２０を情報記録媒体１００へ記録する。また同時に、記録部４２は、情報記録媒体１００に含まれる削除すべき該当楽曲情報を情報記録媒体１００から削除する。
【００４９】
一方、プレイリスト識別情報がユーザ定義プレイリストであった場合には、編集指示情報４７が示す編集内容に基づいた編集結果となるように管理情報１２０を更新する。制御部４４は更新された管理情報１２０を記録部４２へ出力する。記録部４２は更新された管理情報１２０を情報記録媒体１００へ記録する。制御部４４は、必要に応じて、編集すべきプレイリストを情報記録媒体１００から読取部４３を介して読取り、読み取ったプレイリストの内容の編集を行う。制御部４４は編集したプレイリストを記録部４２へ出力する。記録部４２は編集されたプレイリストを情報記録媒体１００へ記録する。
【００５０】
図５に示すフローチャートのように、プレイリストを編集する場合、プレイリスト識別情報を判別し（Ｓ５０１）、アルバムプレイリスト識別子が対応付けられたプレイリストならば、楽曲情報の削除以外の編集は禁止され（Ｓ５０２）、ユーザ定義プレイリスト識別子を持つプレイリストならば、様々な編集（複数の楽曲情報の分割や結合、削除、曲順変更、新たな楽曲情報の追加等）が許可される（Ｓ５０３）ことになる。このように、プレイリストの種類に応じた制限に従ってプレイリストは編集される。なお、編集装置４１は記録装置（例えば図２に示す記録装置２１）に内蔵されてもよい。
【００５１】
本実施の形態によれば、プレイリストの種類を識別することができるため、プレイリストの種類毎に異なった著作権管理を適用することができる。例えば、アルバムプレイリスト識別子が対応付けられたプレイリストに対しては楽曲情報の削除以外の編集を禁止し、ユーザ定義プレイリスト識別子が対応付けられたプレイリストに対しては様々な編集を許可することが可能となる。
【００５２】
（実施の形態２）
本発明の実施の形態２における情報記録媒体は、第１の情報と、第１の情報に関連付けられた第２の情報と、第２の情報の種類を識別するための識別情報とを記録するための情報記録媒体である。識別情報は、第１の情報および第２の情報が含まれていたアルバムコンテンツにおいて、第２の情報がアルバムコンテンツ全体を代表した情報であるのか第１の情報に関連付けられていた情報であるのかを示す。第１の情報はオーディオ情報および動画情報のうちの一方であり、第２の情報は静止画情報およびテキストデータのうちの一方である。本実施の形態においてオーディオ情報は楽曲情報である。
【００５３】
本実施の形態における情報記録媒体の一例として図６Ａに情報記録媒体２００を示す。情報記録媒体２００は、楽曲情報を含むプレイリスト２１０と、プレイリスト２１０を管理するための管理情報ファイル２２０とを含む。プレイリスト２１０は、例えば図６Ｂに示すように複数の楽曲情報２１１、２１２、２１３と、楽曲情報２１１に関連付けられた静止画情報２３０、２３１、２３２と、楽曲情報２１２に関連付けられた静止画情報２３３、２３４と、楽曲情報２１３に関連付けられた静止画情報２３５、２３６、２３７とを含む。
【００５４】
管理情報ファイル２２０は、図１Ｃに示す管理情報ファイル１２０と同様にプレイリストに関する情報を示すプレイリスト情報を含む。図６Ｃに示すように管理情報ファイル２２０はさらに、楽曲情報２１１に関連付けられた静止画情報２３０、２３１、２３２に関する情報を示す静止画集情報２２１も含む。情報記録媒体１００が他の楽曲情報を含む場合には、管理情報ファイル２２０は他の静止画集情報（例えば静止画集情報２２２、２２３）を含む。なお、静止画集情報はプレイリスト情報に含まれていてもよい。
【００５５】
各静止画集情報は、１つの楽曲情報に関連付けられる１つ以上の静止画情報に関する情報を含む。静止画集情報２２１は静止画情報２３０に関する情報を示す静止画一般情報２２４を含む。静止画集情報２２１は他の静止画情報に関する情報を示す静止画一般情報（例えば静止画一般情報２２５、２２６）も含む。静止画一般情報２２４は、静止画情報２３０が示す静止画の使用目的を特定する静止画識別情報２２７を含んでいる。静止画識別情報２２７は、楽曲情報２１１および静止画情報２３０が元々含まれていたアルバムコンテンツ（すなわち楽曲情報２１１および静止画情報２３０の出典元となるアルバムコンテンツ）において、静止画情報２３０がアルバムコンテンツ全体を代表した静止画情報であるのか楽曲情報２１１に関連付けられていた静止画情報であるのかを示す。アルバムコンテンツにおいて、アルバムコンテンツ全体を代表する静止画情報はアルバムコンテンツ全体への参照として表示され、楽曲情報に関連付けられる静止画情報は、関連付けられた楽曲情報の再生時に表示される。静止画識別情報２２７は、楽曲情報２１１および静止画情報２３０が元々含まれていたアルバムコンテンツにおいて静止画情報２３０がアルバムコンテンツ全体を代表した静止画情報であることを示すアルバム代表静止画識別子であるか、そのアルバムコンテンツにおいて静止画情報２３０が楽曲情報２１１に関連付けられていた静止画情報であることを示す曲再生時静止画識別子であるかのいずれかである。以下、楽曲情報および静止画情報が元々含まれていたアルバムコンテンツにおいてアルバムコンテンツ全体を代表した静止画情報をアルバム用静止画情報と呼び、楽曲情報に関連付けられていた静止画情報を、曲静止画情報と呼ぶ。
【００５６】
図７Ａに、電子配信により配信されるアルバムコンテンツの一例であるアルバムコンテンツ２４０を示す。アルバムコンテンツ２４０は、アルバムジャケットのようなアルバムコンテンツ全体を代表するアルバム用静止画情報２４１と、楽曲情報２４２、２４３と、楽曲情報２４２に関連付けられた曲静止画情報２４４と、楽曲情報２４３に関連付けられた曲静止画情報２４５とを含む。図７Ｂに示すように、アルバムコンテンツ２４０を情報記録媒体２００に記録する場合、１つの楽曲情報２４２に関連付けられる静止画情報として、アルバム用静止画情報２４１と曲静止画情報２４４とが情報記録媒体２００に記録される。さらに、アルバム用静止画情報２４１の静止画識別情報としてアルバム代表静止画識別子２４６が対応付けられて情報記録媒体２００に記録され、曲静止画２４４の静止画識別情報として曲再生時静止画識別子２４７が対応付けられて情報記録媒体２００に記録される。これにより、ユーザが複数のアルバムコンテンツから任意に選択した楽曲情報を組み合わせて１つのプレイリストを作成し、そのプレイリストを再生している場合でも、楽曲情報が属していたアルバムコンテンツのアルバム用静止画を表示することができるようになる。
【００５７】
図８に、楽曲情報と楽曲情報に関連付けられている１つ以上の曲静止画情報とアルバム用静止画とを含むアルバムコンテンツを情報記録媒体に記録する記録装置７１を示す。記録装置７１は、記録部７２と、制御部７３と、取得部７４と、読取部７５とを備える。
【００５８】
記録装置７１が図９に示すようなアルバムコンテンツ２５０を情報記録媒体２００に記録するとする。アルバムコンテンツ２５０は、楽曲情報２５１、２５２、２５３と、楽曲情報２５１に関連付けられている曲静止画情報２６１、２６２、２６３、２６４と、楽曲情報２５２に関連付けられている曲静止画情報２６５、２６６と、楽曲情報２５３に関連付けられている曲静止画情報２６７、２６８、２６９と、アルバム用静止画情報２６０と、アルバムコンテンツ２５０の再生に関する情報を示す管理情報２５４とを含む。
【００５９】
取得部７４は、アルバムコンテンツ２５０を取得すると、管理情報２５４を制御部７３へ出力し、アルバムコンテンツ２５０が含むコンテンツ２５５（すなわち楽曲情報２５１〜２５３、アルバム用静止画情報２６０、曲静止画情報２６１〜２６９の組）を記録部７２へ出力する。
【００６０】
制御部７３は、管理情報２５４を解読して、取得部７４が取得した情報がアルバムコンテンツであることが判明すれば、コンテンツ２５５が１つのプレイリスト２７０として情報記録媒体２００に記録されるように、アルバムプレイリスト識別子を含む新規のプレイリスト情報を作成する。
【００６１】
制御部７３は、情報記録媒体２００に管理情報ファイル２２０（図６Ｃ）が予め記録されている場合には、読取部７５を介して管理情報ファイル２２０を取得し、作成した新規のプレイリスト情報を含むように管理情報ファイル２２０を更新する。情報記録媒体２００に管理情報ファイル２２０が記録されていない場合には、作成した新規のプレイリスト情報を含む管理情報ファイル２２０を作成する。制御部７３は、更新または作成された管理情報ファイル２２０を記録部７２へ出力する。記録部７２は、更新または作成された管理情報ファイル２２０と、コンテンツ２５５を含むプレイリスト２７０とを情報記録媒体２００に記録する。
【００６２】
更新または作成された管理情報ファイル２２０には、以下で説明する制御部７３の識別結果に基づくアルバム用静止画情報２６０、曲静止画情報２６１〜２６９それぞれについての静止画識別情報が含まれる。管理情報ファイル２２０の更新または作成前に、制御部７３は、管理情報２５４を解読して、アルバムコンテンツに含まれる各静止画情報が楽曲情報に関連付けられた曲静止画情報であるのか、アルバム用静止画情報であるのかを識別する。識別後、制御部７３は、曲静止画情報２６１〜２６９それぞれに曲再生時静止画識別子を対応付け、元々関連付けられていた楽曲情報に関連付けられるように管理情報ファイル２２０を更新または作成して情報記録媒体２００に記録する。曲再生時静止画識別子が対応付けられた曲静止画情報は、関連付けられた楽曲情報の再生時に表示される。
【００６３】
また、図９に示すように、制御部７３は、アルバム用静止画２６０をコピーして、コピーされたアルバム用静止画２６０を各楽曲情報２５１、２５２、２５３それぞれに関連付け、コピーされたアルバム用静止画２６０にアルバム代表静止画識別子が対応付けられるように管理情報ファイル２２０を更新または作成して情報記録媒体２００に記録する。
【００６４】
図１０は、配信されるアルバムコンテンツ２５０のデータ構造の一例を示している。アルバムコンテンツ２５０は１ファイルで構成され、アルバムコンテンツ２５０全体を管理するための管理情報２８０と、アルバム全体に関するコンテンツを含むアルバムコンテンツデータ２８１と、楽曲情報に関する情報である曲データ２８２、２８３、２８４とを備える。アルバムコンテンツデータは、例えば、アルバムコンテンツ名、アーティスト名、ジャケット静止画、ライナーノーツ等を示す。また、曲データは、楽曲、その楽曲に関連付けられた静止画および曲名等を示す。
【００６５】
アルバムコンテンツデータ２８１は、アルバムコンテンツデータ２８１を管理するためのアルバムコンテンツデータ管理情報２８５と、アルバム静止画情報２８６と、アルバムテキスト情報２８７とを含み、アルバム静止画情報２８６は、アルバム静止画情報２８６を管理するためのアルバム静止画管理情報２９０と、アルバム全体を代表する静止画であるアルバム用静止画２６０とを含む。アルバム用静止画情報２６０はジャケット静止画等を示し、アルバムテキスト情報２８７は、アルバムコンテンツ名やライナーノーツ等を示す。
【００６６】
曲データ２８２は楽曲情報２５１と楽曲情報２５１に関係付けられた情報とを含む。曲データ２８３は楽曲情報２５２と楽曲情報２５２に関係付けられた情報とを含む。曲データ２８４は楽曲情報２５３と楽曲情報２５３に関係付けられた情報とを含む。曲データ２８２について説明すると、曲データ２８２は、曲データを管理するための曲データ管理情報２８８と、楽曲情報２５１と、その楽曲情報２５１に関連付けされた曲テキスト情報２８９、曲静止画情報２６１、２６２、２６３、２６４とを含む。曲テキスト情報２８９は曲名等を示す。
【００６７】
管理情報２８０、アルバムコンテンツデータ管理情報２８５、曲データ管理情報２８８、アルバム静止画管理情報２９０の組み合わせが図９に示す管理情報２５４に対応する。制御部７３は、管理情報２５４を解読して、アルバムコンテンツに含まれる各静止画情報が楽曲情報に関連付けられた曲静止画情報であるのか、アルバム用静止画情報であるのかを識別する。また、図１０に示すように曲静止画情報とアルバム用静止画情報とは、アルバムコンテンツ２５０のデータ構造上において互いの情報が含まれる領域が異なるので、制御部７３は、このような情報が含まれる領域の違いによって曲静止画情報とアルバム用静止画情報とを識別することも出来る。
【００６８】
図１１に、曲静止画情報とアルバム用静止画情報とを再生する再生装置８１を示す。再生装置８１は、情報記録媒体２００から情報を読み取る読取部８２と、制御部８３と、楽曲情報の再生および静止画の表示を行う再生部８４と、ユーザからの指示情報を受信する受信部８５とを備える。再生部８４はスピーカおよびモニタ等を備える。
【００６９】
曲静止画情報とアルバム用静止画情報の再生に先立って、制御部８３は情報記録媒体２００から管理情報２２０を読取部８２を介して取得する。受信部８５は、ユーザからの曲番号とその曲の再生を指示する指示情報８６を受信すると、受信した指示情報８６を制御部８３に出力する。制御部８３は、管理情報２２０を解読し、指示情報８６が示す曲番号に該当する楽曲情報と楽曲情報に関連付けられているすべての静止画情報とを情報記録媒体２００から読み取るように読取部８２を制御する。読取部８２は読み取った楽曲情報と静止画情報との組８７を再生部８４に出力する。さらに、制御部８３は、管理情報２２０に含まれる静止画識別情報から、読み取った静止画情報の種類を識別する。制御部８３は、その識別結果に基づいて静止画情報の再生を制御する制御信号８８を再生部８４へ出力する。制御部８３は、楽曲情報の再生中には、曲再生時静止画識別子が対応付けられた静止画情報を選択して表示するよう、再生部８４を制御する。また、楽曲情報の再生中および曲選択時に、受信部がアルバム用静止画表示の指示情報をユーザから受信すると、制御部８３は、アルバム代表静止画識別子が対応付けられた静止画情報を選択して表示するよう、再生部８４を制御する。このとき、図１２に示すように、楽曲情報に関連付けられている静止画情報の静止画識別情報を読み取り（Ｓ７０１）、アルバム代表静止画識別子が対応付けられた静止画情報があれば、その静止画情報をアルバム用静止画情報として表示する（Ｓ７０２）。
【００７０】
なお、アルバム用静止画情報の表示には様々な方法があり、例えば、楽曲再生時には曲再生時静止画識別子が対応付けられた曲静止画情報を表示しておき、ユーザが望めば、アルバム用静止画情報を表示して、再生中の楽曲情報が含まれていたアルバムコンテンツを認識できるように表示できる。逆に、楽曲再生中は絶えずアルバム用静止画情報を画面上に小さく表示しておき、アルバムコンテンツを認識できるようにも設定できる。さらには、楽曲の検索画面で、曲名に加えてアルバム用静止画情報も表示しておくことも可能である。このように、アルバム代表静止画識別子と曲再生時静止画識別子とを定義することにより、音楽の新たな楽しみ方をユーザに提供することが可能となる。
【００７１】
なお、情報記録媒体２００にはアドレスが割り当てられており、情報記録媒体２００のうちのアルバム用静止画情報が記録される領域に割り当てられているアドレスは、曲静止画情報が記録される領域に割り当てられているアドレスよりも小さいことが望ましい。例えば、図９に示すプレイリスト２７０に含まれる楽曲情報２５１に関連付けられたアルバム用静止画情報２６０が記録される領域に割り当てられているアドレスは、楽曲情報２５１に関連付けられた曲静止画情報２６１、２６２、２６３、２６４が記録される領域に割り当てられているアドレスよりも小さい。管理情報２２０内においても、同様の順番で静止画一般情報が構成されることが望ましい。ある楽曲情報に関連付けられた静止画情報の中でアルバム用静止画情報が先頭に記録されていることが決まっていれば、再生装置は、プレイリストの検索画面表示時等においてアルバム用静止画情報を表示する場合、先頭の静止画情報の静止画識別情報の解読を始めれば、すぐにアルバム用静止画情報を検索することができる。この結果、再生装置の処理負担を軽くすることができ、検索画面を短時間で表示することができるようになる。
【００７２】
本実施の形態によれば、各静止画情報の種類を識別することができるため、静止画情報の種類に応じた様々な表示方法が可能となり、新たな音楽の楽しみ方をユーザに提供できるようになる。
【００７３】
本実施の形態によれば、アルバム用静止画情報を各楽曲情報に関連付けられる静止画情報としてそれぞれコピーして記録するため、その楽曲情報のうちの１つが他のプレイリストで再生されるように編集されたとしても、アルバム用静止画情報を表示すれば、ユーザは、容易に楽曲情報が元々含まれていたアルバムコンテンツを認識することが可能となる。さらに、ある楽曲情報とそれに関連付けられている静止画情報とが他の情報記録媒体にコピーされたとしても、ユーザは、アルバム用静止画情報の表示によって容易に楽曲情報が元々含まれていたアルバムコンテンツを認識することが可能であり、新たな音楽の楽しみ方を提供することができる。
【００７４】
【発明の効果】
本発明の情報記録媒体には、記録された情報が電子配信されたアルバムコンテンツであるのかユーザにより編集された情報であるのかを識別するための識別情報が記録されている。記録された情報の種類を識別することが出来るので、情報の種類毎に異なる著作権管理（例えば編集の制限）を適用することが出来る。また、ユーザが任意に編集できるプレイリストと、電子配信で配信されるアルバムコンテンツとを同一の情報記録媒体で管理することが可能となる。
【００７５】
本発明の情報記録媒体には、オーディオ情報および静止画情報が含まれていたアルバムコンテンツにおいて、静止画情報がアルバムコンテンツ全体を代表した情報であるのかオーディオ情報に関連付けられていた情報であるのかを示す識別情報が記録されている。静止画情報の種類を識別することが出来るので、静止画情報の種類に応じた静止画情報の再生動作の制御を行うことが出来る。オーディオ情報にアルバムコンテンツを代表した静止画情報を関連付けている場合は、ユーザはアルバムコンテンツを代表した静止画情報を再生することでオーディオ情報が元々含まれていたアルバムコンテンツの種類が何であったのかを認識することが出来る。また、オーディオ情報にアルバムコンテンツを代表した静止画情報を関連付けることにより、アルバムコンテンツが記録された情報記録媒体から別の情報記録媒体にオーディオ情報が移動した場合でも、ユーザはアルバムコンテンツを代表した静止画情報を再生すること再生することでオーディオ情報が元々含まれていたアルバムコンテンツの種類が何であったのかを認識することが出来る。
【図面の簡単な説明】
【図１Ａ】本発明の実施の形態における情報記録媒体を示す図
【図１Ｂ】本発明の実施の形態におけるプレイリストを示す図
【図１Ｃ】本発明の実施の形態における管理情報ファイルを示す図
【図２】本発明の実施の形態における記録装置を示す図
【図３】本発明の実施の形態におけるプレイリスト作成手順を示すフローチャート
【図４】本発明の実施の形態における編集装置を示す図
【図５】本発明の実施の形態におけるプレイリスト編集手順を示すフローチャート
【図６Ａ】本発明の実施の形態における情報記録媒体を示す図
【図６Ｂ】本発明の実施の形態におけるプレイリストを示す図
【図６Ｃ】本発明の実施の形態における管理情報ファイルを示す図
【図７Ａ】本発明の実施の形態におけるアルバムコンテンツを示す図
【図７Ｂ】本発明の実施の形態における静止画情報を示す図
【図８】本発明の実施の形態における記録装置を示す図
【図９】本発明の実施の形態におけるアルバムコンテンツおよびプレイリストを示す図
【図１０】本発明の実施の形態におけるアルバムコンテンツのデータ構造を示す図
【図１１】本発明の実施の形態における再生装置を示す図
【図１２】本発明の実施の形態における静止画情報表示手順を示すフローチャート
【図１３】配信されたコンテンツを示す図
【図１４】配信されたアルバムコンテンツを示す図
【図１５】作成されたプレイリストを示す図
【図１６】作成されたプレイリストを示す図
【符号の説明】
１００　情報記録媒体
１１０　プレイリスト
１２０　管理情報ファイル
１２１、１２２、１２３　プレイリスト情報
１２４　プレイリスト一般情報
１２５　プレイリスト識別情報
【図１Ａ】
2004047047.tif 000003
【図１Ｂ】
2004047047.tif 000004
【図１Ｃ】
2004047047.tif 000005
【図２】
2004047047.tif 000006
【図３】
2004047047.tif 000007
【図４】
2004047047.tif 000008
【図５】
2004047047.tif 000009
【図６Ａ】
2004047047.tif 000010
【図６Ｂ】
2004047047.tif 000011
【図６Ｃ】
2004047047.tif 000012
【図７Ａ】
2004047047.tif 000013
【図７Ｂ】
2004047047.tif 000014
【図８】
2004047047.tif 000015
【図９】
2004047047.tif 000016
【図１０】
2004047047.tif 000017
【図１１】
2004047047.tif 000018
【図１２】
2004047047.tif 000019
【図１３】
2004047047.tif 000020
【図１４】
2004047047.tif 000021
【図１５】
2004047047.tif 000022
【図１６】
2004047047.tif 000023